(57)【要約】【課題】  硬質のバンド駒を連結して作られるバンドに伸縮性を持たせつつ、マグネットを出っ張ることなく付加できるようにする。【解決手段】  マグネット７を装着した第一のバンド駒部１と、それを挟む第二のバンド駒部２及び第三のバンド駒部３とを連結した第一のバンド駒群と、第一の連結部材１０によって一体的に形成された第四のバンド駒部４及び第五のバンド駒部５と、それによって挟まれた第六のバンド駒部６とを連結した第二のバンド駒部群とを任意個数連結させ、第六のバンド駒部６は、第一の連結部材１０が移動可能に貫通され、この移動により伸縮するバネ部材８が挿入された第一の空隙部６ｃと、第二のバンド駒部２と第三のバンド駒部３とを連結する第二の連結部材１３又は第四のバンド駒部４と第五のバンド駒部５とを連結する第三の連結部材９を貫通した第二の空隙部とを有する。【選択図】        図１
2005034340.tif 000002
【特許請求の範囲】
【請求項１】
マグネットを装着した第一のバンド駒部と、前記第一のバンド駒部の一部を挟むように一体的に形成された第二のバンド駒部及び第三のバンド駒部とを連結して成る第一のバンド駒群と、
第一の連結部材によって一体的に形成された第四のバンド駒部及び第五のバンド駒部と、前記第四のバンド駒部及び第五のバンド駒部によってその一部が挟まれた第六のバンド駒部とを連結して成る第二のバンド駒部群とを備え、
前記第六のバンド駒部は、第一の空隙部と前記第一の空隙部よりも小さい第二の空隙部とを有し、
前記第一の空隙部内は、前記第一の連結部材が貫通し、その貫通方向と直交する方向に前記第一の連結部材が移動可能としつつ、前記第一の連結部材の移動により伸縮するバネ部材が挿入されて成り、
前記第二の空隙部内は、前記第二のバンド駒部と前記第三のバンド駒部とを連結する第二の連結部材、又は、前記第四のバンド駒部と前記第五のバンド駒部とを連結する第三の連結部材の何れかが貫通されて成り、
前記第一のバンド駒群と前記第二のバンド駒群とを任意個数ずつ連結させて構成したことを特徴とするマグネット付きバンド。
【請求項２】
平面形状がＩ字状であり、一端に設けた第一の連結部材と他端に設けた第三の連結部材とによって一体的に連結した二つのバンド駒部と、
前記二つのバンド駒部によってその一部が挟まれた中央バンド駒部とを交互に複数連結して構成され、
前記中央バンド駒部は、第一の空隙部と、前記第一の空隙部よりも小さい第二の空隙部とを有し、
前記第一の空隙部内は、前記第一の連結部材が貫通し、その貫通方向と直交する方向に前記第一の連結部材が移動可能としつつ、前記第一の連結部材の移動により伸縮するバネ部材が挿入されて成り、
前記第二の空隙部内は、前記第三の連結部材が貫通されて成り、
前記第一の空隙部と前記第二の空隙部との間にマグネットを装着したことを特徴とするマグネット付きバンド。
【請求項３】
平面形状がＨ字状であり、両端に連結部材を装着したＨ字バンド駒部と、
平面形状がＩ字状であり、その幅を前記Ｈ字バンド駒部の凹部に挿入可能な寸法としたI字バンド駒部とを交互に複数連結して構成され、
前記I字バンド駒部は、第三の空隙部と第四の空隙部とを有し、
前記第三の空隙部内は、前記連結部材が貫通し、その貫通方向と直交する第一の方向に前記連結部材が移動可能としつつ、前記連結部材の移動により伸縮するバネ部材が挿入されて成り、
前記第四の空隙部内は、前記連結部材が貫通し、前記第一の方向と逆方向に前記連結部材が移動可能としつつ、前記連結部材の移動により伸縮するバネ部材が挿入されて成り、
前記Ｈ字バンド駒部、及び、前記Ｉ字バンド駒部に設けた前記第三の空隙部と前記第四の空隙部との間の両方又はどちらか一方にマグネットを装着したことを特徴とするマグネット付きバンド。
【発明の詳細な説明】
【技術分野】
【０００１】
本発明は、複数のバンド駒を連結して構成されると共に、主に健康増進機能を有するマグネットを付加しつつ、高い装飾性を備えたマグネット付きバンドに関するものである。
【背景技術】
【０００２】
従来、健康増進機能を有するマグネットを環状に形成されたバンドに付加した健康器具が広く知られている。バンドを手首に装着するものは一般的にブレスレットと呼ばれているが、このようなブレスレット等のアクセサリーにマグネットを付加したり、ブレスレットそのものを磁気性の材料により構成したりすることで、装飾性を持ちながら健康増進機能を有するものも知られている（例えば特許文献１参照）。
【特許文献１】特開２００１−２９２８１３号公報
【０００３】
上述したブレスレットを手首に装着する場合、ブレスレットの材質が弾性を有するゴムや弾性を有する布などであれば、ブレスレットの径を広げて手を指先から挿入することで装着可能となる。一方、ブレスレットの材質が弾性の殆ど無い金属などであれば、ブレスレットの一部をフック等により着脱可能として、フックを切り離した状態でブレスレットを手首に巻き付け、その後フックを掛けることで装着可能となる。
【０００４】
しかしながら、ブレスレットの材質がゴムや布などであると、高い装飾性を実現することが困難になるという問題があった。また、ブレスレットの材質が金属などであると、ブレスレットの一部を一旦切り離して装着しなければならないため装着が不便となったり、紛失の可能性が高くなったりするという問題があった。また、材質が金属の場合には、ブレスレットに伸縮性が無いため、例えば手首を動かすとブレスレットによって腕が締め付けられたりブレスレットが手首に食い込んだりして痛みを感じさせてしまうという問題があった。
【０００５】
ところで、上述したアクセサリー以外に、男性器に装着して強壮作用のある、マグネットが付加されたリングが知られている。このようなリングを男性器に装着する場合、ブレスレットの場合と同様に、その材質が弾性を有するゴムや弾性を有する布などであれば、リングの径を広げた状態で装着可能である。一方、リングの材質が弾性の殆ど無い金属などであれば、リングの一部をフック等により着脱可能として、フックを切り離した状態で装着することが可能となる。
【０００６】
しかしながら、上述したリングの場合には、男性器の膨張や装着感を考慮すると、その伸縮性がブレスレットと比較してより重要である。そのため、リングの材質を弾性の殆ど無い金属とすることは現実的ではなかった。なお、リングの材質を伸縮性のあるものとした技術は既に知られている（例えば特許文献２参照）。
【特許文献２】特開２００１−２３８９０２号公報
【０００７】
ところで、ブレスレットやリングと類似した構造を持つ物品として腕時計がある。この腕時計には、金属や樹脂などの硬質の材料によって構成されるバンド駒と呼ばれる部材を複数連結してバンドを形成するものがある。このような腕時計のバンドを手首に装着する際には、バンド駒の一部をフック等により着脱可能とし、バンドを切り離した状態で腕時計を手首に装着した後、フックを掛けることで再度バンド駒を連結するという面倒な作業が必要であった。また、バンドに伸縮性が無いので、例えば手首を動かすとバンドによって腕が締め付けられたりバンドが手首に食い込んだりして痛みを感じさせることがあった。
【０００８】
このようなバンド駒を連結させた腕時計のバンドに伸縮性を持たせる技術として、バンド駒とバンド駒との連結部分に使用されるピンと、このピンが挿入されるバンド駒との間に圧縮性を有する弾性部材を配設することでバンドの伸縮性を実現するもの（例えば特許文献３参照）や、バンド駒の内部にある空間にバンド駒を連結するための弾性部材を組み込むもの（例えば特許文献４参照）が知られている。
【特許文献３】特開２０００−４９１４号公報
【特許文献４】特開平６−７８８１１号公報
【０００９】
しかしながら、上述したようなブレスレットやリング（以下、バンドと総称する）に対して、上述したバンド駒を連結して伸縮性を持たせたバンドを形成する腕時計の技術を応用した場合、バンド駒の内部に弾性部材を組み込むための空間が必要となる。特にバンドに大きな伸縮性を持たせようとすると、バンド駒に大きな空間が必要となる。また、バンド駒は小さい部品であるため、弾性部材を組み込むための空間の他に、健康増進機能を有するマグネットを組み込むための空間を確保するのは難しい。そのため、バンドの内周側に出っ張ったり目立ったりしないようにマグネットを付加することは困難であった。
【発明の開示】
【発明が解決しようとする課題】
【００１０】
本発明は、このような問題を解決するために成されたものであり、硬質のバンド駒を複数連結させて、伸縮性も持たせつつ、出っ張ったり目立ったりしないようにしてマグネットを付加したマグネット付きバンドを提供することを目的とする。
【課題を解決するための手段】
【００１１】
上述した課題を解決するために、本発明のマグネット付きバンドでは、マグネットを装着した第一のバンド駒部と、前記第一のバンド駒部の一部を挟むように一体的に形成された第二のバンド駒部及び第三のバンド駒部とを連結して成る第一のバンド駒群と、第一の連結部材によって一体的に形成された第四のバンド駒部及び第五のバンド駒部と、前記第四のバンド駒部及び第五のバンド駒部によってその一部が挟まれた第六のバンド駒部とを連結して成る第二のバンド駒部群とを備え、前記第六のバンド駒部は、第一の空隙部と前記第一の空隙部よりも小さい第二の空隙部とを有し、前記第一の空隙部内は前記第一の連結部材が貫通し、その貫通方向と直交する方向に前記第一の連結部材が移動可能としつつ、前記第一の連結部材の移動により伸縮するバネ部材が挿入されて成り、前記第二の空隙部内は、前記第二のバンド駒部と前記第三のバンド駒部とを連結する第二の連結部材、又は、前記第四のバンド駒部と前記第五のバンド駒部とを連結する第三の連結部材の何れかが貫通されて成り、前記第一のバンド駒群と前記第二のバンド駒群とを任意個数ずつ連結させて構成したことを特徴とする。
【００１２】
また、平面形状がＩ字状であり、一端に設けた第一の連結部材と他端に設けた第三の連結部材とによって一体的に連結した二つのバンド駒部と、前記二つのバンド駒部によってその一部が挟まれた中央バンド駒部とを交互に複数連結して構成され、前記中央バンド駒部は、第一の空隙部と前記第一の空隙部よりも小さい第二の空隙部とを有し、前記第一の空隙部内は前記第一の連結部材が貫通し、その貫通方向と直交する方向に前記第一の連結部材が移動可能としつつ、前記第一の連結部材の移動により伸縮するバネ部材が挿入されて成り、前記第二の空隙部内は、前記第三の連結部材が貫通されて成り、前記第一の空隙部と前記第二の空隙部との間にマグネットを装着したことを特徴とする。
【００１３】
更に、平面形状がＨ字状であり、両端に連結部材を装着したＨ字バンド駒部と、平面形状がＩ字状であり、その幅を前記Ｈ字バンド駒部の凹部に挿入可能な寸法としたI字バンド駒部とを交互に複数連結して工背され、前記I字バンド駒部は、第三の空隙部と第四の空隙部とを有し、前記第三の空隙部内は、前記連結部材が貫通し、その貫通方向と直交する第一の方向に前記連結部材が移動可能としつつ、前記連結部材の移動により伸縮するバネ部材が挿入されて成り、前記第四の空隙部内は、前記連結部材が貫通し、前記第一の方向と逆方向に前記連結部材が移動可能としつつ、前記連結部材の移動により伸縮するバネ部材が挿入されて成り、前記Ｈ字バンド駒部、及び、前記Ｉ字バンド駒部に設けた前記第三の空隙部と第四の空隙部との間の両方又はどちらか一方にマグネットを装着したことを特徴とする。
【発明の効果】
【００１４】
上記のように構成した本発明によれば、硬質の材料を使用したバンド駒を連結して作られるバンドに伸縮性を持たせつつ、健康増進機能を有するマグネットをバンドの側面に出っ張ったり目立ったりしないように付加することができる。
【発明を実施するための最良の形態】
【００１５】
以下、本発明の一実施形態を図面に基づいて説明する。図１は、本実施形態に係るマグネット付きバンドの一部構成図であり、（ａ）は平面図、（ｂ）は図１（ａ）上Ａ−Ａ´間の一部断面図である。また、図２は、本実施形態に係るマグネット付きバンドを環状方向に引き伸ばした状態を示す一部構成図である。更に、図３は、本実施形態に係るマグネット付きバンドの構成部品を示す図であり、（ａ）は第一のバンド駒部の斜視図、（ｂ）は第二のバンド駒部の斜視図、（ｃ）は第四のバンド駒部の斜視図、（ｄ）は第六のバンド駒部の斜視図を示している。
【００１６】
図１及び図２において、１は第一のバンド駒部、２は第二のバンド駒部、３は第二のバンド駒部２と対称の形状を成す第三のバンド駒部、４は第四のバンド駒部、５は第四のバンド駒部４と対称の形状を成す第五のバンド駒部、６は第一のバンド駒部１と幅が略同一の第六のバンド駒部であり、それぞれ平面形状がＩ字状である。
【００１７】
図３（ｂ）に示す第二のバンド駒部２と、これと対称の形状を成す第三のバンド駒部３とは、図３（ａ）に示す第一のバンド駒部１の一部を挟むように第一のバンド駒部１に連結されている。そして、第一のバンド駒部１と第二のバンド駒部２と第三のバンド駒部３とによって第一のバンド駒群を構成している。
【００１８】
また、第二のバンド駒部２及び第三のバンド駒部３に隣接して設けられた第四のバンド駒部４と第五のバンド駒部５とは、第一のバンド駒部１の一部及び第六のバンド駒部６の一部を挟むように第一のバンド駒部１及び第六のバンド駒部６に連結されている。そして、第四のバンド駒部４と第五のバンド駒部５と第六のバンド駒部６とによって第二のバンド駒群を構成している。
【００１９】
本実施形態のマグネット付きバンドは、複数の第二のバンド駒群を連続して連結し、これらの間に必要に応じて第一のバンド駒群を連結するように構成したものである。
【００２０】
なお、図１及び図２によれば、図３（ｄ）に示す第六のバンド駒部６−１と、第四のバンド駒部４−１及びこれと対称の形状を成す第五のバンド駒部５−１とを連結し、第六のバンド駒部６−１に対して、その一部を挟むように第四のバンド駒部４−２及び第五のバンド駒部５−２を連結している。また、第四のバンド駒部４−２及び第五のバンド駒部５−２にその一部が挟まれるように第六のバンド駒部６−２を連結することで、第二のバンド駒群の連続した連結を実現している。ここで、第四のバンド駒部４−１，４−２をまとめて第四のバンド駒部４と表記し、第五のバンド駒部５−１，５−２をまとめて第五のバンド駒部５と表記している。同様に、第六のバンド駒部６−１，６−２，６−３をまとめて第六のバンド駒部６と表記している。
【００２１】
上述したバンド駒の連結には連結部材が使用されるが、１１は第一のバンド駒部１と第二のバンド駒部２と第三のバンド駒部３との連結に用いられるピンである。
【００２２】
また、１０は第一の連結部材であり、第四のバンド駒部４−１と第五のバンド駒部５−１とを一体的に連結すると共に、第六のバンド駒部６−１を伸縮自在に連結している。なお、第一の連結部材１０としてはピンが使用されている。同様に、１３は第二の連結部材であり、第二のバンド駒部２と第三のバンド駒部３とを一体的に連結すると共に、第六のバンド駒部６−３を連結している。なお、第二の連結部材１３としてはピンが使用されている。
【００２３】
更に、９は第三の連結部材であり、第四のバンド駒部４−２と第五のバンド駒部５−２とを一体的に連結すると共に、第六のバンド駒部６−１を連結している。なお、第三の連結部材９としてはピンが使用されている。
【００２４】
更にまた、１２は第四の連結部材であり、第四のバンド駒部４−１と第五のバンド駒部５−１とを一体的に連結すると共に、第一のバンド駒部１を連結している。なお、第四の連結部材１２としてはピンが使用されている。なお、上述した第一〜第四の連結部材としては、ピン以外にも同様の働きをするものであれば置換することが可能である。
【００２５】
７はマグネットであり、第一のバンド駒部１の中央下方に埋め込まれている。また、８はバネ部材であり、第六のバンド駒部６の内部に設けた第一の空隙部６ｃに挿入されている。そして、第一の空隙部６ｃの中でピン１０が摺動し、バネ部材８が伸縮する。このバネ部材８は、第六のバンド駒部６−１と第四のバンド駒部４−１及び第五のバンド駒部５−１とをバンドを形成する環状の方向に引き伸ばすときに、元の状態に戻すような力をピン１０と第六のバンド駒部６−１との間に働かせる。
【００２６】
また、図１（ｂ）及び図３（ｄ）に示すように、第六のバンド駒部６の内部には、係止部材６ａが設けられている。係止部材６ａによって第六のバンド駒部６の内部にはピン１０の係止部６ｅが形成される。また、図１（ｂ）において係止部６ｅの左側にはバネ部材８を挿入可能な第一の空隙部６ｃが形成され、係止部６ｅの右側にはピン９を挿入可能な第二の空隙部６ｂが形成される。なお、第二の空隙部６ｂは第一の空隙部６ｃよりも小さく、ピン９がちょうど入る程度のスペースとなっている。そして、第一の空隙部６ｃにはピン１０が貫通するように挿入されており、そのピン１０の一端が第四のバンド駒部４−１の端部に設けた穴４ａに装着されており、ピン１０の他端が第五のバンド駒部５−１の端部に設けた図示しない穴に装着されている。
【００２７】
上述したピン１０は、第四のバンド駒部４−１及び第五のバンド駒部５−１に一体的に装着されており、第六のバンド駒部６−１に設けた第一の空隙部６ｃ内をその形状に沿って移動可能である。そして、ピン１０と第六のバンド駒部６−１の内部壁面６ｄとの間にバネ部材８を挿入することによって、第六のバンド駒部６−１と第四のバンド駒部４−１及び第五のバンド駒部５−１とをバンドを形成する環状の方向に引き伸ばすときに、元の状態に戻すような力をピン１０と内部壁面６ｄとの間に元の状態に戻る力を加えている。
【００２８】
上述した第六のバンド駒部６−１と第四のバンド駒部４−１及び第五のバンド駒部５−１との間に何も力が加わっていない状態では、ピン１０はバネ部材８の伸びる力によって係止部６ｅにぶつかっている。一方、第六のバンド駒部６−１と第四のバンド駒部４−１及び第五のバンド駒部５−１とを環状方向に引き伸ばすような力を加えると、バネ部材８が最も縮まった状態となるまでピン１０によってバネ部材８が縮められる。このようにバンドの伸縮の度合いは、第六のバンド駒部６−１に設けた第一の空隙部６ｃ及びバネ部材８の伸縮の大きさによって決まる。
【００２９】
また、バンドが伸縮するとき、第六のバンド駒部６−１の端部がピン１０を中心に回転して第四のバンド駒部４−１及び第五のバンド駒部５−１の上下に突出しないように、第六のバンド駒部６の端部の両側に凸部６ｆが設けられている。一方、第四のバンド駒部４−１の前記凸部６ｆが接触する面には溝部４ｃが設けられており、同様に第五のバンド駒部５−１にも溝部が設けられている。
【００３０】
なお、第六のバンド駒部６−１に凸部６ｆを設けない構成としても、ピン１０に隣接して配置されたバネ部材８によって上記回転をある程度抑えることができる。
【００３１】
ところで、第六のバンド駒部６−１に形成された第二の空隙部６ｂには、ピン９が貫通するように挿入されている。そして、そのピン９の一端が上述した第四のバンド駒部４−１とは別の第四のバンド駒部４−２の端部に設けた穴４ｂに装着されており、ピン９の他端が上述した第五のバンド駒部５−１とは別の第五のバンド駒部５−２の端部に設けた図示しない穴に装着されている。このピン９は第六のバンド駒部６−１と第四のバンド駒部４−２及び第五のバンド駒部５−２とを一体的に装着している。
【００３２】
そして、このように連結された第四のバンド駒部４−２及び第五のバンド駒部５−２に対して、上述した第六のバンド駒部６−１とは別に設けた第六のバンド駒部６−２を上述した構成と同様の構成によって連結し、これを繰り返すことで環状のバンドを形成することが可能となる。なお、必要に応じて第六のバンド駒部６−１、６−２とは別の第六のバンド駒部６−３と第二のバンド駒部２及び第三のバンド駒部３とをピン１３により連結することができる。そして、上述したようにピン１１を使用して第二のバンド駒部２及び第三のバンド駒部３に第一のバンド駒部１を連結することができる。このように構成した第一のバンド駒群の連結数を調整することで、バンド全体の中に含まれるマグネット７の数量を調整することが可能となる。
【００３３】
以上、詳しく説明したように、本実施形態によれば、第六のバンド駒部６に第一の空隙部６ｃを確保して、その中にバネ部材８を挿入することにより、バンドを伸縮することが可能となる。また、バネ部材８を使用することにより、例えば手首を動かす際のバンドによる腕への締め付けを軽減するだけでなく、バンドを装着する場合に必要な大きなストロークでの伸縮が可能となる。
【００３４】
更に、第二の空隙部６ｂは第六のバンド駒部６−１の端部に設けられていると共に、バネ部材８が挿入されていないので、第六のバンド駒部６−１と第四のバンド駒部４−２及び第五のバンド駒部５−２とがピン９を中心に回転可能となり、バンドの形状を環状以外に変形することが可能となる。なお、これは第一のバンド駒部１と第四のバンド駒部４−１及び第五のバンド駒部５−１との連結においても同様であり、第六のバンド駒部６−３と第二のバンド駒部２及び第三のバンド駒部３との連結においても同様である。このようにバンドが変形可能となるので、バンドを装着する腕などの対象物が円形に限定されない上、装着が容易になる。また、バンドを保管する場合の収納スペースを小さくすることが出来る。
【００３５】
更にまた、第一のバンド駒部１にマグネット７を組み込むスペースを十分に確保しているので、マグネット７を出っ張り無く付加することが可能となる。
【００３６】
なお、上記実施形態では、第一のバンド駒部１の中央下方にマグネット７を埋め込む例について説明したが、マグネット７の装着位置はこれに限定されない。すなわち、マグネット７がバンド駒から突出せず、内部にマグネット７の厚みが確保できる位置であればどこでも良い。例えば、第六のバンド駒部６の係止部６ｅの下方にマグネット７を埋め込んでも良い。この場合、第一のバンド駒群を環状のバンドに組み込む必要がなくなる。すなわち、平面形状がＩ字状である二つのバンド駒部（第四のバンド駒部４及び第五のバンド駒部５）と、その中央に挟まれた中央バンド駒部（第六のバンド駒部）とから成る第二のバンド駒群のみを複数連結している。
【００３７】
また、上記実施形態では、複数の第二のバンド駒群を交互に連結し、その間に必要に応じて第一のバンド駒群を連結していたが、第一のバンド駒群と第二のバンド駒群とを交互に連結しても良い。
【００３８】
更に、上記実施形態では各バンド駒部を一つの部材によって形成しているが、これを複数の部材によって形成しても良い。逆に、第一のバンド駒部１と第二のバンド駒部２と第三のバンド駒部３とを一つの部材によって形成しても良い。同様に、第二のバンド駒部２と第三のバンド駒部３とピン１３、第四のバンド駒部４と第五のバンド駒部５とピン１０とピン１２などのように一体的に形成されるバンド駒についても一つの部材によって形成しても良い。
【００３９】
次に、本発明の他の実施形態を図面に基づいて説明する。なお、上述した実施形態と同一の構成要素については同一の符号を付し、一部説明を省略する。図４は、本実施形態に係るマグネット付きバンドの一部構成図であり、（ａ）はＨ字駒部及びＩ字駒部の平面図、（ｂ）は図４（ａ）上Ｂ−Ｂ´間の一部断面図である。また、図５は、本実施形態に係るマグネット付きバンドを引き伸ばした状態を示す一部構成図である。更に、図６は、本実施形態に係るマグネット付きバンドの構成部品を示す図であり、（ａ）はＨ字駒部の斜視図、（ｂ）はＩ字駒部の斜視図を示している。
【００４０】
図４及び図５において、２１は平面形状がH字状のＨ字バンド駒部、２２は平面形状がI字状のＩ字バンド駒部であり、Ｈ字バンド駒部２１と伸縮自在に連結される。また、７はマグネットであり、Ｈ字バンド駒部２１の中央（ブリッジ部分）下方に埋め込まれている。
【００４１】
２３は連結部材であり、Ｈ字バンド駒部２１の両端に設けられている。なお、ここでは連結部材２３としてピンを使用している。そして、Ｈ字バンド駒部２１とＩ字バンド駒部２２とはピン２３によって連結されている。
【００４２】
８はバネ部材であり、図５に示すようにＨ字バンド駒部２１とＩ字バンド駒部２２とをバンドを形成する環状の方向に引き伸ばすときに、元の状態に戻すような力をＨ字バンド駒部２１及びＩ字バンド駒部２２に働かせる。
【００４３】
図４及び図５に示すように、本実施形態のマグネット付きバンドは、図６（ａ）に示すＨ字バンド駒部２１と図６（ｂ）に示すＩ字バンド駒部２２とを交互に連結して構成したものであり、図４（ａ）中でＨ字バンド駒部２１の左右に存在する凹部２１ｃにはI字バンド駒部２２の一端が挿入されている。
【００４４】
また、図４（ｂ）及び図６（ｂ）に示すように、I字バンド駒部２２の内部には、断面エ字状の係止部材２２ａが設けられている。この係止部材２２ａによってI字バンド駒部２２の内部にはピン２３の係止部２２ｃが形成されると共に、その係止部２２ｃの両側には第三の空隙部及び第四の空隙部（ここでは空隙部２２ｂ）が形成される。この空隙部２２ｂにはピン２３が貫通するように挿入されている。そして、ピン２３の両端が、Ｈ字バンド駒部２１の端部両側壁に設けた孔２１ｂに装着されている。
【００４５】
このピン２３はH字バンド駒部２１に一体的に装着されており、I字バンド駒部２２に設けた空隙部２２ｂ内を貫通し、空隙部２２に沿って移動可能である。そして、ピン２３とＩ字バンド駒部２２の内部壁面２２ｅとの間にバネ部材８を挿入しているので、Ｈ字バンド駒部２１とＩ字バンド駒部２２とをバンドを形成する環状の方向に引き伸ばすときに、ピン２３が空隙部２２ｂの中を摺動してバネ部材８が伸縮し、ピン２３と内部壁面２２ｅとの間に元の状態に戻る力を加えている。
【００４６】
上述したＨ字バンド駒部２１及びＩ字バンド駒部２２に何も力が加わっていない状態では、ピン２３はバネ部材８の伸びる力によって係止部２２ｃにぶつかっている。一方、Ｈ字バンド駒部２１及びＩ字バンド駒部２２に環状方向に引き伸ばすような力を加えると、バネ部材８が最も縮まった状態となるまでピン２３によってバネ部材８が縮められる。このようにバンドが伸縮するとき、Ｉ字バンド駒部２２の端部がピン２３を中心に回転してＨ字バンド駒部２１の上下に突出しないように、Ｉ字バンド駒部２２の端部の両側に凸部２２ｄが設けられている。一方、Ｈ字バンド駒部２１の上記凸部２２ｄが接触する面には溝部２１ａが設けられている。
【００４７】
なお、Ｉ字バンド駒部２２に凸部２２ｄを設けない構成としても、ピン２３に隣接して配置されたバネ部材８によって上記回転をある程度抑えることができる。
【００４８】
以上、詳しく説明したように、本実施形態によれば、Ｉ字バンド駒部２２に空隙部２２ｂを確保して、その中にバネ部材８を入れることにより、バンドを伸縮することが可能となる。また、バネ部材８を使用することにより、例えば手首を動かす際のバンドによる腕への締め付けを軽減するだけでなく、バンドを装着する場合に必要な大きなストロークでの伸縮が可能となる。
【００４９】
更に、空隙部２２ｂは係止部２２ｃを境に両側に存在するので、バンドを大きく伸縮させることが可能となる。更にまた、Ｈ字バンド駒部２１にマグネット７を組み込むスペースを確保しているので、マグネット７を出っ張り無く付加することができる。更にまた、ピン２３とバネ部材８とが同じ空隙内に入っているためバンド駒同士の回転を抑制してバンドの形状を環状に保つことが可能となる。そのため、本実施形態によるバンドは環状の対象物に装着することに適している。
【００５０】
なお、上記実施形態では、Ｈ字バンド駒部２１の中央下方にマグネット７を埋め込んでいるが、マグネット７の装着位置はこれに限定されない。すなわち、マグネット７がバンド駒から突出せず、内部にマグネット７の厚みが確保できる位置であればどこでも良い。例えば、Ｉ字バンド駒部２２の係止部２２ｃの下方にマグネット７を埋め込んでも良い。
【００５１】
また、上記実施形態では、Ｈ字バンド駒部２１及びＩ字バンド駒部２２をそれぞれ一つの部材によって形成しているが、これを複数の部材によって形成し、それらを一体的に連結するようにしても良い。
【００５２】
以上、本発明を実施するにあたっての具体化の例を示したが、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。例えば、上述した各実施形態ではバンドの伸縮性を得るためにバネ部材を使用しているが、同様の機能を有する部材であれば置換することができるものである。
【産業上の利用可能性】
【００５３】
本発明は、硬質の材料で構成されながら伸縮性を持ち、且つ、健康増進機能を有するマグネットを備えたリングやブレスレットなどのような環状の物品に有用である。
【図面の簡単な説明】
【００５４】
【図１】本実施形態によるマグネット付きバンドの一部構成を示す図である。
【図２】本実施形態によるマグネット付きバンドを伸ばした状態を示す一部構成図である。
【図３】本実施形態によるマグネット付きバンドの構成部品を示す図である。
【図４】他の実施形態によるマグネット付きバンドの一部構成を示す図である。
【図５】他の実施形態によるマグネット付きバンドを伸ばした状態を示す一部構成図である。
【図６】他の実施形態によるマグネット付きバンドの構成部品を示す図である。
【符号の説明】
【００５５】
１    第一のバンド駒部
２    第二のバンド駒部
３    第三のバンド駒部
４    第四のバンド駒部
５    第五のバンド駒部
６    第六のバンド駒部
７    マグネット
８    バネ部材
９，１０，１１，１２，１３，２３    ピン
２１    Ｈ字バンド駒部
２２    Ｉ字バンド駒部
【図１】
2005034340.tif 000003
【図２】
2005034340.tif 000004
【図３】
2005034340.tif 000005
【図４】
2005034340.tif 000006
【図５】
2005034340.tif 000007
【図６】
2005034340.tif 000008